(57)【要約】【課題】ミラーを駆動し位置決め部材によって位置決めがなされる所定の姿勢にした際に、位置決め部材への衝突に起因して生じるミラーの振動を簡易な構成によって迅速に収束させることができるミラー駆動装置の技術を提供する。【解決手段】主ミラー１０３ａとサブミラー１０３ｂとを備えたミラーボックス（ミラー駆動装置）１０３では、サブミラーホルダ１０３２を駆動し、サブミラー１０３ｂに係るミラーダウン姿勢とミラーアップ姿勢とを切替えられる。そして、ミラーダウン姿勢では、サブミラーホルダ１０３２に設けられたマグネットプレートＰＭに金属製のストッパＳｂが当接するようになっている。このような構成により、サブミラー１０３ｂを駆動しミラーダウン姿勢にした際にストッパＳｂへの衝突に起因して生じるサブミラー１０３ｂの振動を、マグネットプレートＰＭとストッパＳｂとの間に働く磁気吸着力を利用して迅速に収束できる。【選択図】図５
2009222860.tif 000002
【特許請求の範囲】
【請求項１】
撮像装置での光路切替えに用いるミラーを備えたミラー駆動装置であって、
(a)前記ミラーが設けられた可動部と、
(b)前記可動部におけるミラーの姿勢を第１姿勢と第２姿勢との間で変更可能な駆動機構部と、
(c)前記ミラーの第１姿勢において前記可動部の所定部位に当接することにより、前記ミラーを前記第１姿勢に位置決めさせる位置決め部材と、
を備え、
前記所定部位および前記位置決め部材は、磁性体として構成されるとともに、前記所定部位および／または前記位置決め部材は、永久磁石として磁化されており、
前記ミラーの第１姿勢において前記所定部位と前記位置決め部材との間に働く磁気吸着力は、前記第１姿勢のミラーを前記第２姿勢に向かって駆動する際に前記所定部位に作用する駆動力より小さいことを特徴とするミラー駆動装置。
【請求項２】
請求項１に記載のミラー駆動装置において、
前記所定部位に当接する前記位置決め部材の表面部分は、所定の曲率を有した曲面状の形状を有しており、
前記位置決め部材に当接する前記所定部位の表面部分は、平面状の形状を有していることを特徴とするミラー駆動装置。
【請求項３】
請求項１に記載のミラー駆動装置において、
前記撮像装置には、前記第１姿勢のミラーで反射された被写体光を受光することで被写体に係る焦点検出を行う焦点検出センサが設けられていることを特徴とするミラー駆動装置。
【請求項４】
撮像装置であって、
(a)光路切替えに用いるミラーが設けられた可動部と、
(b)前記可動部におけるミラーの姿勢を第１姿勢と第２姿勢との間で変更可能な駆動機構部と、
(c)前記ミラーの第１姿勢において前記可動部の所定部位に当接することにより、前記ミラーを前記第１姿勢に位置決めさせる位置決め部材と、
を備え、
前記所定部位および前記位置決め部材は、磁性体として構成されるとともに、前記所定部位および／または前記位置決め部材は、永久磁石として磁化されており、
前記ミラーの第１姿勢において前記所定部位と前記位置決め部材との間に働く磁気吸着力は、前記第１姿勢のミラーを前記第２姿勢に向かって駆動する際に前記所定部位に作用する駆動力より小さいことを特徴とする撮像装置。
【発明の詳細な説明】
【技術分野】
【０００１】
本発明は、撮像装置での光路切替えに用いるミラーを備えたミラー駆動装置の技術に関する。
【背景技術】
【０００２】
一眼レフタイプのカメラ(撮像装置)においては、一般に、撮影レンズの光路上に進退自在な所謂クイックリターンミラーとして構成されたミラーボックス(ミラー駆動装置)が設けられている。このミラーボックスは、それぞれ上記の光路上に進出した進出位置と退避した退避位置との間で位置変更(姿勢変更)が可能な主ミラーおよびサブミラーが設けられたミラー部を有しており、ミラー部は、ストッパ(位置決め部材)に当接することで進出位置の位置決めが行われる。
【０００３】
ここで、退避位置にあるミラー部を進出位置まで駆動するとミラー部がストッパに衝突して急停止するため、ミラー部でバウンド(微振動)が生じてしまう。そして、このバウンドが収束するまで例えばサブミラーで反射された被写体光を受光する位相差ＡＦセンサで精度の良い焦点検出(測距)が行えない。
【０００４】
以上のようなミラー部のバウンドを改善する技術として、例えば特許文献１に開示される技術がある。この技術によれば、ストッパとしてカメラに設置された電磁石の磁気吸着力を利用してミラー部のバウンドが迅速に収束されるようになっている。
【０００５】
【特許文献１】特開平６−１７５２２３号公報
【発明の開示】
【発明が解決しようとする課題】
【０００６】
しかしながら、上記特許文献１の技術では、電磁石を用いるため、電磁石に通電するための電気回路などが必要となり、構成が複雑化してカメラの小型化や軽量化を阻害する。
【０００７】
本発明は、上記課題に鑑みてなされたものであり、ミラーを駆動し位置決め部材によって位置決めがなされる所定の姿勢にした際に、位置決め部材への衝突に起因して生じるミラーの振動を簡易な構成によって迅速に収束させることができるミラー駆動装置の技術を提供することを目的とする。
【課題を解決するための手段】
【０００８】
本発明の第１の側面は、撮像装置での光路切替えに用いるミラーを備えたミラー駆動装置であって、(a)前記ミラーが設けられた可動部と、(b)前記可動部におけるミラーの姿勢を第１姿勢と第２姿勢との間で変更可能な駆動機構部と、(c)前記ミラーの第１姿勢において前記可動部の所定部位に当接することにより、前記ミラーを前記第１姿勢に位置決めさせる位置決め部材とを備え、前記所定部位および前記位置決め部材は、磁性体として構成されるとともに、前記所定部位および／または前記位置決め部材は、永久磁石として磁化されており、前記ミラーの第１姿勢において前記所定部位と前記位置決め部材との間に働く磁気吸着力は、前記第１姿勢のミラーを前記第２姿勢に向かって駆動する際に前記所定部位に作用する駆動力より小さいことを特徴とする。
【０００９】
また、本発明の第２の側面は、撮像装置であって、(a)光路切替えに用いるミラーが設けられた可動部と、(b)前記可動部におけるミラーの姿勢を第１姿勢と第２姿勢との間で変更可能な駆動機構部と、(c)前記ミラーの第１姿勢において前記可動部の所定部位に当接することにより、前記ミラーを前記第１姿勢に位置決めさせる位置決め部材とを備え、前記所定部位および前記位置決め部材は、磁性体として構成されるとともに、前記所定部位および／または前記位置決め部材は、永久磁石として磁化されており、前記ミラーの第１姿勢において前記所定部位と前記位置決め部材との間に働く磁気吸着力は、前記第１姿勢のミラーを前記第２姿勢に向かって駆動する際に前記所定部位に作用する駆動力より小さいことを特徴とする。
【発明の効果】
【００１０】
本発明によれば、可動部におけるミラーの姿勢を第１姿勢と第２姿勢との間で変更可能な駆動機構部と、ミラーの第１姿勢において可動部の所定部位に当接することによりミラーを第１姿勢に位置決めさせる位置決め部材とを備え、所定部位および位置決め部材は、磁性体として構成されるとともに、所定部位および／または位置決め部材は、永久磁石として磁化されており、ミラーの第１姿勢において所定部位と位置決め部材との間に働く磁気吸着力は、第１姿勢のミラーを第２姿勢に向かって駆動する際に所定部位に作用する駆動力より小さい。その結果、第２姿勢のミラーを駆動し位置決め部材によって位置決めがなされる第１姿勢にした際に、位置決め部材への衝突に起因して生じるミラーの振動を簡易な構成によって迅速に収束させることができる。
【発明を実施するための最良の形態】
【００１１】
＜撮像装置の外観構成＞
図１および図２は、本発明の実施形態に係る撮像装置１の外観構成を示す図である。ここで、図１および図２は、それぞれ正面図および背面図を示している。
【００１２】
撮像装置１は、例えば一眼レフレックスタイプのデジタルスチルカメラとして構成されており、カメラボディ１０と、カメラボディ１０に着脱自在な撮影レンズとしての交換レンズ２とを備えている。
【００１３】
図１において、カメラボディ１０の正面側には、正面略中央に交換レンズ２が装着されるマウント部３０１と、マウント部３０１の右横に配置されたレンズ交換ボタン３０２と把持可能とするためのグリップ部３０３と、正面左上部に配置されたモード設定ダイアル３０５と、正面右上部に配置された制御値設定ダイアル３０６と、グリップ部３０３の上面に配置されたシャッターボタン３０７とが設けられている。
【００１４】
また、図２において、カメラボディ１０の背面側には、ＬＣＤ（Liquid Crystal Display）３１１と、ＬＣＤ３１１の左方に配置された設定ボタン群３１２と、ＬＣＤ３１１の右方に配置された十字キー３１４と、十字キー３１４の中央に配置されたプッシュボタン３１５とが備えられている。また、カメラボディ１０の背面側には、ＬＣＤ３１１の上方に配設された光学ファインダ３１６と、光学ファインダ３１６の周囲を囲むアイカップ３２１と、光学ファインダ３１６の左方に配設されたメインスイッチ３１７と、光学ファインダ３１６の右方に配設された露出補正ボタン３２３およびＡＥロックボタン３２４と、光学ファインダ３１６の上方に配設されたフラッシュ部３１８および接続端子部３１９とが備えられている。
【００１５】
マウント部３０１には、装着された交換レンズ２との電気的接続を行うためコネクタや、機械的接続を行うためのカプラが設けられている。
【００１６】
レンズ交換ボタン３０２は、マウント部３０１に装着された交換レンズ２を取り外す際に押下されるボタンである。
【００１７】
グリップ部３０３は、ユーザが撮影時に撮像装置１を把持する部分であり、フィッティング性を高めるために指形状に合わせた表面凹凸が設けられている。なお、グリップ部３０３の内部には電池収納室およびカード収納室(不図示)が設けられている。電池収納室にはカメラの電源として電池が収納されており、カード収納室には撮影画像の画像データを記録するためのメモリカードが着脱可能に収納されるようになっている。なお、グリップ部３０３には、当該グリップ部３０３をユーザが把持したか否かを検出するためのグリップセンサを設けるようにしても良い。
【００１８】
モード設定ダイアル３０５及び制御値設定ダイアル３０６は、カメラボディ１０の上面と略平行な面内で回転可能な略円盤状の部材からなる。モード設定ダイアル３０５は、自動露出（ＡＥ）制御モードや自動焦点（ＡＦ；オートフォーカス）制御モード、或いは１枚の静止画を撮影する静止画撮影モードや連続撮影を行う連続撮影モード等の各種撮影モード、記録済みの画像を再生する再生モード等、撮像装置１に搭載されたモードや機能を択一的に選択するためのものである。一方、制御値設定ダイアル３０６は、撮像装置１に搭載された各種の機能に対する制御値を設定するためのものである。
【００１９】
シャッターボタン３０７は、途中まで押し込んだ「半押し状態」の操作と、さらに押し込んだ「全押し状態」の操作とが可能とされた押下スイッチである。静止画撮影モードにおいてシャッターボタン３０７が半押しされると、被写体の静止画を撮影するための準備動作（露出制御値の設定や焦点検出等の準備動作）が実行され、シャッターボタン３０７が全押しされると、撮影動作（撮像素子１０１(図３参照)を露光し、その露光によって得られた画像信号に所定の画像処理を施してメモリカード等に記録する一連の動作）が実行される。
【００２０】
ＬＣＤ３１１は、画像表示が可能なカラー液晶パネルを備えており、撮像素子１０１(図３参照)により撮像された画像の表示や記録済みの画像の再生表示等を行うとともに、撮像装置１に搭載される機能やモードの設定画面を表示するものである。なお、ＬＣＤ３１１に代えて、有機ＥＬやプラズマ表示装置を用いるようにしても良い。
【００２１】
設定ボタン群３１２は、撮像装置１に搭載された各種の機能に対する操作を行うボタンである。この設定ボタン群３１２には、例えばＬＣＤ３１１に表示されるメニュー画面で選択された内容を確定するための選択確定スイッチ、選択取り消しスイッチ、メニュー画面の内容を切り替えるメニュー表示スイッチ、表示オン／オフスイッチ、表示拡大スイッチなどが含まれる。
【００２２】
十字キー３１４は、円周方向に一定間隔で配置された複数の押圧部（図中の三角印の部分）を備える環状の部材を有し、各押圧部に対応して備えられた図示省略の接点（スイッチ）により押圧部の押圧操作が検出されるように構成されている。また、プッシュボタン３１５は、十字キー３１４の中央に配置されている。十字キー３１４及びプッシュボタン３１５は、撮影倍率の変更（ズームレンズのワイド方向やテレ方向への移動）、ＬＣＤ３１１等に再生する記録画像のコマ送り、及び撮影条件（絞り値、シャッタスピード、フラッシュ発光の有無等）の設定等の指示を入力するためのものである。
【００２３】
光学ファインダ３１６は、被写体が撮影される範囲を光学的に表示するものである。すなわち、光学ファインダ３１６には、交換レンズ２からの被写体像が導かれており、ユーザは、この光学ファインダ３１６を覗くことにより、実際に撮像素子１０１にて撮影される被写体を視認することができる。
【００２４】
メインスイッチ３１７は、左右にスライドする２接点のスライドスイッチからなり、左にセットすると撮像装置１の電源がオンされ、右にセットすると電源がオフされる。
【００２５】
フラッシュ部３１８は、ポップアップ式の内蔵フラッシュとして構成されている。一方、外部フラッシュ等をカメラボディ１０に取り付ける場合には、接続端子部３１９を使用して接続する。
【００２６】
アイカップ３２１は、遮光性を有して光学ファインダ３１６への外光の侵入を抑制する「コ」字状の遮光部材である。
【００２７】
露出補正ボタン３２３は、露出値（絞り値やシャッタースピード）を手動で調整するためのボタンであり、ＡＥロックボタン３２４は、露出を固定するためのボタンである。
【００２８】
交換レンズ２は、被写体からの光（光像）を取り込むレンズ窓として機能するとともに、当該被写体光をカメラボディ１０の内部に配置されている撮像素子１０１に導くための撮影光学系として機能するものである。この交換レンズ２は、上述のレンズ交換ボタン３０２を押下操作することで、カメラボディ１０から取り外すことが可能となっている。
【００２９】
交換レンズ２は、光軸ＬＴに沿って直列的に配置された複数のレンズからなるレンズ群２１を備えている(図３参照)。このレンズ群２１には、焦点の調節を行うためのフォーカスレンズと、変倍を行うためのズームレンズとが含まれており、それぞれ光軸ＬＴ(図３参照)方向に駆動されることで、変倍や焦点調節が行われる。また、交換レンズ２には、その鏡胴の外周適所に該鏡胴の外周面に沿って回転可能な操作環が備えられており、上記のズームレンズは、マニュアル操作或いはオート操作により、上記操作環の回転方向及び回転量に応じて光軸方向に移動し、その移動先の位置に応じたズーム倍率(撮影倍率)に設定されるようになっている。
【００３０】
＜撮像装置１の内部構成＞
次に、撮像装置１の内部構成について説明する。図３は、撮像装置１の縦断面図である。図３に示すように、カメラボディ１０の内部には、撮像素子１０１、ファインダ部１０２（ファインダ光学系）、ミラーボックス(ミラー駆動装置)１０３、位相差ＡＦモジュール１０７などが備えられている。なお、図３では、図示の便宜上、後述する主ミラーホルダ１０３１およびサブミラーホルダ１０３２を簡略化して示している。
【００３１】
撮像素子１０１は、カメラボディ１０に交換レンズ２が装着された場合の当該交換レンズ２が備えているレンズ群の光軸ＬＴ上において、光軸ＬＴに対して垂直となる方向に配置されている。撮像素子１０１としては、例えばフォトダイオードを有して構成される複数の画素がマトリクス状に２次元配置されたＣＭＯＳカラーエリアセンサ（ＣＭＯＳ型の撮像素子）が用いられる。撮像素子１０１は、交換レンズ２を通って受光された被写体光束に関するＲ（赤）、Ｇ（緑）、Ｂ（青）各色成分のアナログの電気信号（画像信号）を生成し、Ｒ、Ｇ、Ｂ各色の画像信号として出力する。
【００３２】
上記の光軸ＬＴ上において、被写体光をファインダ部１０２へ向けて反射される位置には、ミラーボックス１０３(破線で図示)がカメラボディ１０に固定されている。交換レンズ２を通過した被写体光は、ミラーボックス１０３の主ミラー１０３ａ(後述)によって上方へ反射される。交換レンズ２を通過した被写体光の一部は主ミラー１０３ａを透過する。
【００３３】
ファインダ部１０２は、ペンタプリズム１０５、接眼レンズ１０６及び光学ファインダ３１６を備えている。ペンタプリズム１０５は、断面５角形を呈し、その下面から入射された被写体光像を内部での反射によって当該光像の天地左右を入れ替えて正立像にするためのプリズムである。接眼レンズ１０６は、ペンタプリズム１０５により正立像にされた被写体像を光学ファインダ３１６の外側に導く。このような構成により、ファインダ部１０２は、本撮影前の撮影待機時において被写界を確認するためのファインダとして機能する。
【００３４】
ミラーボックス１０３には、主ミラー１０３ａおよびサブミラー１０３ｂを保持する主ミラーホルダ１０３１およびサブミラーホルダ１０３２を備えたミラー部ＭＲが駆動可能に設けられており、ミラー部ＭＲは、図３のように主ミラーホルダ１０３１の背面側においてサブミラー１０３ｂが主ミラーホルダ１０３１の背面に向けて倒れ込むような姿勢をとることができる。この図３に示す姿勢(以下では「ミラーダウン姿勢」ともいう)においては、主ミラー１０３ａを透過した被写体光の一部はサブミラー１０３ｂによって反射され、この反射された被写体光は位相差ＡＦモジュール１０７に入射される。ここで、サブミラー１０３ｂで反射された被写体光を位相差ＡＦモジュール１０７に正確に入射させるように、サブミラー１０３ｂのミラーダウン姿勢においてサブミラーホルダ１０３２の所定部位（具体的には後述のマグネットプレートＰＭ）に当接することによりサブミラー１０３ｂをミラーダウン姿勢に位置決めさせるストッパ(位置決め部材)Ｓｂがミラーボックス１０３に配設されている。同様に、ミラーダウン姿勢において主ミラーホルダ１０３１の位置決めを行うストッパＳａも、ミラーボックス１０３に固定して設けられている。
【００３５】
ミラー部ＭＲは、撮像装置１での光路切替えに用いる所謂クイックリターンミラーとして機能し、露光時（本撮影時）には図４に示すようにサブミラー１０３ｂが主ミラー１０３ａと略平行となるように折り畳まれた状態となってミラー部ＭＲがミラーボックス１０３の上部に収容される姿勢（以下では「ミラーアップ姿勢」ともいう）をとることができる。ここで、ミラーダウン姿勢(図３参照)からミラーアップ姿勢に移行する際には、例えば公知技術(特開昭５８−１２６５２２号公報に開示される技術など)のように４節リンク機構によりミラー部ＭＲのスイングバックが行われるようになっている(後で詳述)。このようなミラーアップ姿勢により、交換レンズ２からの被写体光がミラー部ＭＲによって遮られることなく撮像素子１０１上に届き、撮影素子１０１が露光される。そして、撮像素子１０１での撮像動作が終了すると、ミラー部ＭＲは元の位置（図３に示すミラーダウン姿勢）に復帰する。
【００３６】
また、ミラー部ＭＲを本撮影(画像記録用の撮影)の前に図４に示すミラーアップ姿勢にすることにより撮像装置１は、撮像素子１０１で順次に生成される画像信号に基づき動画的態様で被写体をＬＣＤ３１１に表示するライブビュー(プレビュー)表示が可能となっている。すなわち、本撮影前の撮像装置１では、上記のライブビュー表示が行われる電子ファインダ(ライブビューモード)、または光学ファインダを選択して被写体の構図決めが可能である。なお、電子ファインダと光学ファインダとの切替えは、図２に示す切替スイッチ８５を操作することにより行われる。
【００３７】
位相差ＡＦモジュール１０７は、ミラーダウン姿勢のサブミラー１０３ｂで反射された被写体光を受光することで被写体に係る焦点検出を行う焦点検出センサとして機能する。この位相差ＡＦモジュール１０７は、ミラーボックス１０３の下方に配設されており、位相差検出方式の焦点検出(以下では「位相差ＡＦ」ともいう)により合焦位置を検出する。
【００３８】
撮像素子１０１の光軸方向前方には、シャッタユニット４０が配置されている。このシャッタユニット４０は、上下方向に移動する幕体を備え、その開動作および閉動作により光軸ＬＴに沿って撮像素子１０１に導かれる被写体光の光路開口動作および光路遮断動作を行うメカニカルフォーカルプレーンシャッタとして構成されている。なお、シャッタユニット４０は、撮像素子１０１が完全電子シャッター可能な撮像素子である場合には省略可能である。
【００３９】
＜ミラーボックス１０３の要部構成について＞
図５および図６は、ミラーボックス１０３の要部構成を示す斜視図および側面図であり、ミラーダウン姿勢のミラー部ＭＲおよびその周辺部が示されている。また、図７は、図５に示す破線円Ｅｒ内を拡大した図である。ただし、図７では、取付け孔ＨｓからストッパＳｂが取り外された状態を示している。
【００４０】
ミラー部ＭＲは、上述のように主ミラーホルダ１０３１とサブミラーホルダ１０３２(図５〜７において網掛けで図示)とを備えている。
【００４１】
主ミラーホルダ１０３１は、主ミラー１０３ａを保持する本体部１０３１ａと、本体部１０３１ａの両側面に連結するｙ字状(図６参照)の２つの腕部１０３１ｂとで構成されている。
【００４２】
２つの腕部１０３１ｂそれぞれは、その分岐した２つの先端部に孔Ｈ１、Ｈ２が形成されている。そして、図６に示すようにミラーボックス１０３に固定して設けられた支点Ｃ１を中心としてＸ軸回りに回動可能な駆動アームＡ１(破線で図示)の端部が孔Ｈ１に回動自在に係合している。同様に、ミラーボックス１０３に固定して設けられた支点Ｃ２を中心としてＸ軸回りに回動可能な補助アームＡ２(破線で図示)の端部が孔Ｈ２に回動自在に係合している。このような４節リンク構造により、例えば駆動アームＡ１に接続したコイルバネの復元力による上向きの駆動力Ｆｒ(図６)を駆動アームＡ１に作用させれば、主ミラーホルダ１０３１がスイングバックして図４のようなミラーアップ姿勢への移行が可能となる。なお、ミラーアップ姿勢で駆動アームＡ１に下向きの駆動力を作用させれば、図６に示すミラーダウン姿勢に移行することとなるが、ミラーダウン姿勢では主ミラーホルダ１０３１が円柱状のストッパＳａに当接することにより、鉛直方向に対して例えば４５度傾いた主ミラー１０３ａの姿勢が得られる。
【００４３】
サブミラーホルダ１０３２は、サブミラー１０３ｂが設けられた可動部として働き、サブミラー１０３ｂを保持する板状の本体部１０３２ａと、本体部１０３２ａの端部に連結する２つの腕部１０３２ｂとで構成されている。
【００４４】
２つの腕部１０３２ｂそれぞれは、その先端部に孔Ｈａが形成されている。そして、この２つの孔Ｈａを支点としてＸ軸に平行な回転軸Ａｘ回りにサブミラーホルダ１０３２の回動が可能となっている。このようなサブミラーホルダ１０３２の駆動機構ＫＭにより、駆動アームＡ１によって駆動される主ミラーホルダ１０３１の姿勢の変化に連動して、図５および図６のミラーダウン姿勢（第１姿勢）と図４のミラーアップ姿勢（第２姿勢）との間でサブミラー１０３ｂの姿勢変更を行えることとなる。
【００４５】
ミラーアップ姿勢のサブミラーホルダ１０３２がミラーダウン姿勢に移行する際には、サブミラーホルダ１０３２が円柱状のストッパＳｂに当接することにより、鉛直方向に対して所定の角度(例えば４５度)傾いたサブミラー１０３ｂの姿勢が得られる。ここで、ストッパＳｂは、例えばＪＩＳ規格のＳＵＳ４３０(フェライト系ステンレス鋼)など磁性を持ったＳＵＳ４００系のステンレス鋼で形成されており、ミラーボックス１０３に固定して設けられた保持部材１０４の先端部に取付けられている。
【００４６】
以上のような構成を有するミラー部ＭＲをミラーアップ姿勢からミラーダウン姿勢に駆動する場合には、比較的大きな駆動速度をもってサブミラーホルダ１０３２がストッパＳｂに衝突するため、その反発力によりサブミラーホルダ１０３２がバウンドしてしまいサブミラー１０３ｂで微小振動が発生することとなる。このようなサブミラー１０３ｂの微小振動が生じるとサブミラー１０３ｂで反射される被写体光が揺動してしまうため、被写体光が正しく位相差ＡＦモジュール１０７に入射されず位相差ＡＦモジュール１０７での焦点検出が困難となる。特に、連写撮影時においては、位相差ＡＦモジュール１０７での焦点検出が完了しないと次コマの撮影を開始できないため、サブミラー１０３ｂの振動が長く継続すると連写速度の低下を招いてしまう。
【００４７】
そこで、本実施形態のサブミラーホルダ１０３２では、磁性体として構成されたストッパＳｂが当接する部位に、図７に示すように永久磁石として磁化された矩形板状のマグネットプレート(磁性体)ＰＭを設けている。このようにサブミラーホルダ１０３２にマグネットプレートＰＭを配設することにより、ミラーダウン時にサブミラーホルダ１０３２がストッパＳｂに衝突してもマグネットプレートＰＭと金属製のストッパＳｂとの間に磁気吸着力が発生するため、サブミラーホルダ１０３２の微小振動を早期に収束させることが可能となる。
【００４８】
ただし、ストッパＳｂがマグネットプレートＰＭに吸着しているミラーダウン姿勢からサブミラー１０３ｂをミラーアップ姿勢に駆動するためには、図６に示すようにサブミラー１０３ｂのミラーダウン姿勢においてマグネットプレートＰＭとストッパＳｂとの間に働く磁気吸着力Ｆｑを、駆動アームＡ１への駆動力Ｆｒによりミラーダウン姿勢のサブミラー１０３ｂをミラーアップ姿勢に向かって駆動する際にマグネットプレートＰＭに作用する駆動力Ｆｐより小さくしなければならない。換言すれば、磁気吸着力Ｆｑが駆動力Ｆｐより小さくなるように、マグネットプレートＰＭとストッパＳｂとの組合せ(素材や形状など)を選定する必要がある。例えば本実施形態では、マグネットプレートＰＭに当接するストッパＳｂの表面部分を、円柱状の形状、つまり一定の曲率を有した曲面状の形状とし、ストッパＳｂに当接するマグネットプレートＰＭの表面部分を平面状の形状とすることで、適度な磁気吸着力Ｆｑを発生させるようにしている。このような構成のマグネットプレートＰＭおよびストッパＳｂによる効果を説明する。
【００４９】
図８は、マグネットプレートＰＭおよびストッパＳｂによる効果を説明するための図である。図８において、横軸はミラーダウン開始からの経過時間(msec)を示しており、縦軸はサブミラー１０３ｂの位置(縦軸の上方向に高位置)を示している。また、本実施形態に係るサブミラー１０３ｂの動作をグラフＧａ(実線で図示)で表し、磁気吸着力を利用しない従来技術に係るサブミラーの動作をグラフＧｂ(破線で図示)で表している。
【００５０】
サブミラー１０３ｂがミラーアップ姿勢からミラーダウン姿勢に移行するミラーダウン期間Ｔｏが過ぎると、ストッパＳｂへの衝突に起因したサブミラー１０３ｂの振動が始まるが、磁気吸着力を利用しない従来技術では、グラフＧｂのように振動するサブミラー１０３ｂが安定するまでの期間(以下では「ミラー安定化期間」ともいう)Ｔｂが長くかかってしまう。
【００５１】
これに対して、本実施形態では、サブミラーホルダ１０３２に設けられたマグネットプレートＰＭとストッパＳｂとの間に生じる磁気吸着力によりサブミラー１０３ｂの振動が抑えられるため、グラフＧａのようにサブミラー１０３ｂのミラー安定化期間Ｔａを従来に比べて半分程度に短縮できることとなる。
【００５２】
すなわち、本実施形態のミラーボックス１０３においては、金属製のストッパＳｂが当接するサブミラーホルダ１０３の箇所にマグネットプレートＰＭを配設することにより、サブミラー１０３ｂを駆動しストッパＳｂによって位置決めがなされるミラーダウン姿勢にした際に、ストッパＳｂへの衝突に起因して生じるサブミラー１０３ｂの振動(バウンド)を簡易な構成によって迅速に収束させることができる。このようにサブミラー１０３ｂの振動が速く収束すれば、連写撮影における連写速度の高速化が図れることとなる。
【００５３】
＜変形例＞
・上記の実施形態においては、ミラーボックス１０３をデジタルカメラに設けるのは必須でなく、銀塩カメラ(フィルムカメラ)に設けるようにしても良い。
【００５４】
・上記の実施形態においては、金属製のストッパＳｂを採用するのは必須でなく、永久磁石として構成されるストッパを採用しても良い。また、永久磁石として構成されたストッパに、マグネットプレートＰＭではなく金属製のプレートを吸着させるようにしても良い。このような構成でも、ミラーダウン時におけるサブミラー１０３ｂの微小振動を迅速に収束させることが可能である。
【００５５】
・上記の実施形態におけるストッパＳｂについては、円柱状の外形を有するのは必須でなく、楕円柱状や半円柱状、角柱状の外形を有しても良い。
【図面の簡単な説明】
【００５６】
【図１】本発明の実施形態に係る撮像装置１の外観構成を示す図である。
【図２】撮像装置１の外観構成を示す図である。
【図３】撮像装置１の縦断面図である。
【図４】ミラー部ＭＲにおけるミラーアップの状態を示す図である。
【図５】ミラーボックス１０３の要部構成を示す斜視図である。
【図６】ミラーボックス１０３の要部構成を示す側面図である。
【図７】図５に示す破線円Ｅｒ内を拡大した図である。
【図８】マグネットプレートＰＭおよびストッパＳｂによる効果を説明するための図である。
【符号の説明】
【００５７】
１  撮像装置
２  交換レンズ
１０  カメラボディ
１０１  撮像素子
１０３  ミラーボックス
１０３ａ  主ミラー
１０３ｂ  サブミラー
１０３１  主ミラーホルダ
１０３２  サブミラーホルダ
Ｆｐ  駆動力
Ｆｑ  磁気吸着力
ＰＭ  マグネットプレート
Ｓａ、Ｓｂ  ストッパ
【図１】
2009222860.tif 000003
【図２】
2009222860.tif 000004
【図３】
2009222860.tif 000005
【図４】
2009222860.tif 000006
【図５】
2009222860.tif 000007
【図６】
2009222860.tif 000008
【図７】
2009222860.tif 000009
【図８】
2009222860.tif 000010